(57)【要約】【課題】複製元の鍵の複製に適するブランクキーの候補選びを容易となし、熟練者でなくてもブランクキーの候補選びを可能とする。【解決手段】鍵の複製に適するブランクキーを探索するサービスを行う第２の事業者のコンピュータシステム４に対し、鍵の複製を受注した第１の事業者の通信端末装置１〜３より少なくとも複製元の鍵を撮像して得られた鍵の表裏両面の画像情報を第１の事業者を特定する情報とともに通信ネットワーク５を介して送信することによりブランクキーの探索を依頼し、前記通信端末装置１〜３が第２の事業者のコンピュータシステム４より複製元の鍵の複製に適するブランクキーを探索した結果を通信ネットワーク５を介して受け取った後、探索されたブランクキーの候補から複製に供するブランクキーを選定する。【選択図】図１
2016031555.tif 000002
【特許請求の範囲】
【請求項１】
鍵の複製に適するブランクキーを探索するサービスを行う第２の事業者のコンピュータシステムに対し、鍵の複製を受注した第１の事業者の通信端末装置より少なくとも複製元の鍵を撮像して得られた鍵の表裏両面の画像情報を第１の事業者を特定する情報とともに通信ネットワークを介して送信することによりブランクキーの探索を依頼し、前記通信端末装置が第２の事業者のコンピュータシステムより複製元の鍵の複製に適するブランクキーを探索した結果を通信ネットワークを介して受け取った後、探索されたブランクキーの候補から複製に供するブランクキーを選定することを特徴とする鍵の複製受注方法。
【請求項２】
鍵の複製に適するブランクキーを探索するサービスを行う第２の事業者のコンピュータシステムに対し、鍵の複製を受注する第１の事業者の通信端末装置が通信ネットワークを介して接続されて成る鍵の複製受注システムであって、
第２の事業者の前記通信端末装置は、縦横の目盛に対応させて複製元の鍵を置く領域が設定された鍵の複製受注用撮影機材と、前記撮影機材上に置かれた複製元の鍵を撮像して鍵の表裏両面の画像情報を取得する画像取得手段と、前記画像情報を第１の事業者を特定する情報とともに第２の事業者のコンピュータシステムに対し通信ネットワークを介して送信する送信手段と、第２の事業者のコンピュータシステムより複製元の鍵の複製に適するブランクキーを探索した結果を通信ネットワークを介して受信する受信手段とを備え、
第２の事業者の前記コンピュータシステムは、通信ネットワークを介して第１の事業者の前記通信端末装置より送られてきた情報を受信する受信手段と、複製元の鍵の複製に適するブランクキーを探索した結果を通信ネットワークを介して第１の事業者の前記通信端末装置へ送信する送信手段とを備えてなる鍵の複製受注システム。
【請求項３】
複製元の鍵を上面に置いてその上方からカメラにより撮像するための鍵の複製受注用撮影機材であって、縦横の目盛と少なくとも鍵の複製を受注した事業者を特定する情報を記入する記入欄とが表面に表され、前記目盛に対応させて複製元の鍵を置く領域が、鍵の先端部またはストッパー部を位置合わせする基準線により設定されて成る鍵の複製受注用撮影機材。
【請求項４】
前記記入欄は、複製元の鍵の用途と板厚とを記入する欄を含んでいる請求項３に記載された鍵の複製受注用撮影機材。
【発明の詳細な説明】
【技術分野】
【０００１】
この発明は、鍵を複製して合鍵を製作するサービスを行う事業者に導入される鍵の複製受注方法と、その方法を実施するための鍵の複製受注システムと、鍵の複製を受注する際に用いられる鍵の複製受注用撮影機材とに関するもので、この発明は特に、複製元の鍵の複製に適するブランクキーを探索するのが容易な鍵の複製受注方法、鍵の複製受注ステム、および鍵の複製受注用撮影機材に関する。
【背景技術】
【０００２】
玄関の扉錠、ロッカーの扉錠、自動車の錠などについて、必要数に応じて、或いは予備的に、施錠、解錠のための鍵を複製することが一般に行われている。鍵を複製して合鍵を製作するサービスを行う事業者は、合鍵の製作依頼があると、複製元の鍵（以下「元鍵」ともいう。）を預かり、合鍵切削機を用いて鍵を複製し合鍵を製作する。その種の合鍵切削機は、元鍵をサンプルとし、そのサンプルとブランクキーと呼ばれる鍵素材（以下「ブランクキー」という。）とを合鍵切削機にセットした後、サンプルの鍵足部分の鍵山を倣い機構によりトレースしながらブランクキーの鍵足部分の側縁を切削加工する。この切削加工によりブランクキーの鍵足部分に元鍵と同じ凹凸の鍵山が刻設される（例えば、特許文献１参照）。
【０００３】
上記した切削加工に先立ち、多種類の既成のブランクキーの中から元鍵の複製に適するブランクキーを選ぶことが必要である。ここで、「複製に適するブランクキー」とは、図１０に示すような元鍵９の鍵足部分９１の長さＬ、幅Ｄ、および板厚Ｔがほぼ等しく、位置決め用の溝９０の本数や位置が一致するブランクキーである。そのようなブランクキーであれば、加工工数が少なくて済み、合鍵の製作依頼に迅速に対応できる。前記位置決め用の溝９０は、鍵足部分９１の表裏の両面または片面に長さ方向に沿って設けられるもので、錠の鍵孔に対する鍵の挿入が正規の位置でなされるように鍵孔の内面に設けられた位置決め用の突起に係合する。なお、ブランクキーの候補が複数抽出されたときは、頭部９２のデザインなど、依頼者の好みに応じたものが選定される。
【先行技術文献】
【特許文献】
【０００４】
【特許文献１】特開２００５−１１８９５０号公報
【発明の概要】
【発明が解決しようとする課題】
【０００５】
鍵を複製して合鍵を製作するサービスを行う事業者は、多種類のブランクキーについてのリストを用意しておき、鍵の複製依頼があると、前記リストの中から、或いは予め取り揃えた多種類のブランクキーの中から、複製に供するブランクキーを抽出する。しかし、その種の抽出作業は専門的な知識と長年の経験とを必要とし、熟練者でなければ、ブランクキーの候補選びに多大の時間と手数とがかかり、鍵の複製依頼に迅速に対応できない。
【０００６】
この発明は、上記の問題に着目してなされたもので、複製元の鍵の複製に適するブランクキーの候補選びを容易となし、熟練者でなくてもブランクキーの候補選びを可能とした鍵の複製受注方法、鍵の複製受注システム、および鍵の複製受注用撮影機材を提供することを目的とする。
【課題を解決するための手段】
【０００７】
この発明による鍵の複製受注方法は、鍵の複製に適するブランクキーを探索するサービスを行う第２の事業者のコンピュータシステムに対し、鍵の複製を受注した第１の事業者の通信端末装置より少なくとも複製元の鍵を撮像して得られた鍵の表裏両面の画像情報を第１の事業者を特定する情報とともに通信ネットワークを介して送信することによりブランクキーの探索を依頼し、前記通信端末装置が第２の事業者のコンピュータシステムより複製元の鍵の複製に適するブランクキーを探索した結果を通信ネットワークを介して受け取った後、探索されたブランクキーの候補から複製に供するブランクキーを選定することを特徴とするものである。
【０００８】
この発明の上記した構成において、前記の第２の事業者は、例えば、多種類のブランクキーを製造して市場へ供給しているメーカーであり、ひとつのメーカーに限られるものではないが、必ずしもブランクキーを製造して供給するメーカーである必要はなく、専らブランクキーの検索サービスを業務とするサービス業者であってもよい。
また、前記の第１の事業者は、例えば、鍵の複製の受注から合鍵の切削に至るまでを一連に請け負う業者であるが、鍵の複製の受注を行うだけの業者であってもよく、この場合はブランクキーの切削は受注した業者とは別の業者が行うことになる。
【０００９】
さらに、この発明の上記した構成において、複製元の鍵は、玄関の扉錠、ロッカーの扉錠、自動車の錠など、種々の錠を施錠、解錠するための鍵を含んでいる。また、前記通信端末装置は、パーソナルコンピュータ（以下単に「パソコン」という。）の他に、携帯電話やスマートフォンのような携帯の通信端末を含むものである。
【００１０】
この発明による鍵の複製受注方法によると、第１の事業者が鍵の複製を受注するとき、依頼者から預かった複製元の鍵の複製に適するブランクキーの選定が容易でなければ、第２の事業者のコンピュータシステムに対して、第１の事業者の通信端末装置より複製元の鍵を撮像して得られた鍵の表裏両面の画像情報を第１の事業者を特定する情報とともに通信ネットワークを介して送信することにより、ブランクキーの探索を依頼する。第２の事業者は、前記画像情報によって少なくとも鍵の外観を把握することが可能であるので、複製元の鍵の複製に適するブランクキーを探索する手掛かりを取得することができる。
なお、前記の送信情報の中に、複製元の鍵の用途、鍵の板厚などの測定データを含ませることができ、この場合、それらの情報は複製元の鍵の複製に適するブランクキーを探索するためのさらなる手掛かりを第２の事業者に与える。
【００１１】
複製元の鍵の複製に適するブランクキーの探索結果は、第２の事業者のコンピュータシステムから第１の事業者の通信端末装置へ通信ネットワークを介して送られる。第１の事業者の通信端末装置において、複製元の鍵の複製に適するブランクキーの探索結果を受け取ったとき、探索されたブランクキーの候補から複製に供するブランクキーを選定し、これにより鍵の複製の受注が完了する。
【００１２】
この発明による鍵の複製受注システムは、鍵の複製に適するブランクキーを探索するサービスを行う第２の事業者のコンピュータシステムに対し、鍵の複製を受注する第１の事業者の通信端末装置が通信ネットワークを介して接続されたものである。第２の事業者の前記通信端末装置は、縦横の目盛に対応させて複製元の鍵を置く領域が設定された鍵の複製受注用撮影機材と、前記撮影機材上に置かれた複製元の鍵を撮像して鍵の表裏両面の画像情報を取得する画像取得手段と、前記画像情報を第１の事業者を特定する情報とともに第２の事業者のコンピュータシステムに対し通信ネットワークを介して送信する送信手段と、第２の事業者のコンピュータシステムより複製元の鍵の複製に適するブランクキーを探索した結果を通信ネットワークを介して受信する受信手段とを備えている。また、第２の事業者の前記コンピュータシステムは、通信ネットワークを介して第１の事業者の前記通信端末装置より送られてきた情報を受信する受信手段と、複製元の鍵の複製に適するブランクキーを探索した結果を通信ネットワークを介して第１の事業者の前記通信端末装置へ送信する送信手段とを備えている。
【００１３】
この発明による鍵の複製受注システムによると、第１の事業者が鍵の複製を受注するとき、依頼者から預かった複製元の鍵の複製に適するブランクキーの選定が容易でなければ、第２の事業者は、画像取得手段によって複製元の鍵の表裏両面の画像情報を取得し、第２の事業者のコンピュータシステムに対して、この画像情報を第１の事業者を特定する情報とともに第１の事業者の通信端末装置の送信手段より通信ネットワークを介して送信することによりブランクキーの探索を依頼する。
前記した画像情報は、縦横の目盛に対応させて複製元の鍵を置く領域が設定された撮影機材上に複製元の鍵を置いて撮影することにより取得するもので、第２の事業者は、この画像情報によって鍵の外観、鍵足の寸法、位置決め用の溝の本数や位置などを把握することが可能であり、複製元の鍵の複製に適するブランクキーを探索する手掛かりを取得できる。
【００１４】
複製元の鍵の複製に適するブランクキーの探索結果は、第２の事業者のコンピュータシステムの送信手段から第１の事業者の通信端末装置へ通信ネットワークを介して送られる。第１の事業者の通信端末装置において、複製元の鍵の複製に適するブランクキーの探索結果を受信手段で受信したとき、探索されたブランクキーの候補から複製に供するブランクキーを選定する。これにより鍵の複製の受注が完了する。
【００１５】
この発明による鍵の複製受注用撮影機材は、複製元の鍵を上面に置いてその上方からカメラにより撮像するためのものであって、縦横の目盛と少なくとも鍵の複製を受注した事業者を特定する情報を記入する記入欄とが表面に表されている。前記目盛に対応させて複製元の鍵を置く領域が、鍵の先端部またはストッパー部を位置合わせする基準線により設定されている。
【００１６】
上記した構成の鍵の複製受注用撮影機材によると、基準線に鍵の先端部またはストッパー部を位置合わせするようにして、前記の領域に複製元の鍵を置き、その上方から鍵および記入欄を視野に含むようにしてカメラにより撮影を行う。撮影は鍵の表裏両面について行われ、これにより鍵の表裏両面の画像情報を取得できる。基準線に鍵の先端部またはストッパー部を位置あわせしているので、目盛から鍵足の長さが把握できる。記入欄には、第２の事業者の店舗名、住所、電話番号など、第２の事業者を特定する情報の他、望ましくは、複製元の鍵の用途、鍵の板厚を測定したデータなどを記入する。
第２の事業者は、上記の画像情報によって鍵の外観、鍵足の寸法、位置決め用の溝の本数や位置などを把握でき、複製元の鍵の複製に適するブランクキーを探索する手掛かりを取得する。
【発明の効果】
【００１７】
この発明によれば、鍵の複製を受注するに際し、依頼者から預かった複製元の鍵の複製に適するブランクキーの選定が容易でない場合に、熟練者でなくても複製に供するブランクキーの候補を容易かつ短時間で抽出でき、鍵の複製依頼に迅速に対応することが可能である。
【図面の簡単な説明】
【００１８】
【図１】この発明にかかる鍵の複製受注システムの概略構成を示す説明図である。
【図２】鍵の複製受注システムを構成する第１の事業者の通信端末装置および第２の事業者のコンピュータシステムの概略構成を示すブロック図である。
【図３】この発明にかかる鍵の複製受注用撮影機材上に置かれた元鍵をカメラで撮像している状況を示す斜視図である。
【図４】鍵の複製受注用撮影機材の一実施例である基準シートを示す説明図である。
【図５】基準シートの他の実施例を示す説明図である。
【図６】鍵の複製受注方法の手順を示すフローチャートである。
【図７】鍵の複製受注方法の手順を示すフローチャートである。
【図８】ブランクキー検索システムによる検索の流れを示すフローチャートである。
【図９】ブランクキー検索システムの原理説明図である。
【図１０】鍵の具体例を示す正面図および側面図である。
【発明を実施するための形態】
【００１９】
図１および図２は、この発明にかかる鍵の複製受注方法、およびその方法を実施するための鍵の複製受注システムの概略構成を示している。
同図中、１〜３はタイプの異なる第１〜第３の通信端末装置であり、鍵の複製を受注して合鍵製作を行う鍵複製業者（第１の事業者）は、必要に応じて、いずれかの通信端末装置１〜３を用いて鍵の複製を受注する。４は鍵の複製に適するブランクキーを探索するサービスを行う探索サービス業者（第２の事業者）に導入されているコンピュータシステムである。５は各通信端末装置１〜３とコンピュータシステム４とを接続する通信ネットワークである。
【００２０】
各鍵複製業者は、一般客より鍵の複製を受注し、元鍵の複製に適するブランクキーを選定し、そのブランクキーに切削を施して合鍵を製作する。元鍵の複製に適するブランクキーの選定が容易でないとき、鍵複製業者は、元鍵を撮影して鍵の表裏両面の画像情報を取得し、その画像情報を探索サービス業者のコンピュータシステム２へ送ることにより、ブランクキーの探索を依頼する。
【００２１】
探索サービス業者は、ブランクキーの探索依頼を受けると、受信した情報から手掛かりを取得してブランクキーの探索を行い、元鍵の複製に適するブランクキーを抽出する。探索結果はコンピュータシステム４より通信ネットワーク５を介して探索依頼のあった鍵複製業者の通信端末装置１〜３へ送られる。
【００２２】
鍵複製業者は、いずれかの通信端末装置１〜３で探索結果を受け取ると、探索されたブランクキーの候補から複製に供するブランクキーを選定し、そのブランクキーに切削加工を施して合鍵を製作する。
【００２３】
第１の通信端末装置１は、パソコン１０、ディスプレイ１１、キーボード１２、マウス１３などで構成され、デジタルカメラ６および鍵の複製受注用撮影機材７（詳細は後述する）を構成として含むものである。通信端末装置１のパソコン１０は、図２に示すように、制御部１５を制御、演算の主体とし、画像入力部１６、画像記憶部１７、送受信部１８などを含んでいる。なお、図２において、入力装置１４はキーボード１２、マウス１３などである。
【００２４】
デジタルカメラ６は、図３に示すように、鍵の複製受注用撮影機材７を構成する基準シート７０上に置かれた元鍵９を上方より撮像して元鍵９の表裏両面の画像情報を取得するためのものである。その画像情報はパソコン１０の画像入力部１６より取り込まれて画像記憶部１７に記憶される。なお、基準シート７０の構成については後述する。
【００２５】
第２の通信端末装置２は、スマートフォンのような携帯端末２０により構成され、前記した基準シート７０を構成として含んでいる。携帯端末２０はディスプレイ２１を有し、カメラ機能、通信機能など、種々の機能を有する。なお、携帯端末２０の内部構成は図示していないが、前記パソコン１０と同様、制御部、画像入力部、画像記憶部、送受信部などに相当する構成を備えている。
【００２６】
第３の通信端末装置３は、パソコン３０、ディスプレイ３１、キーボード３２、マウス３３などで構成され、鍵撮影用の専用機８を構成として含むものである。パソコン３０の構成は図示していないが、前記したパソコン１０と同様、制御部、画像入力部、画像記憶部、送受信部などを有するものである。
【００２７】
前記専用機８は、鍵の複製受注用撮影機材７の一実施態様である基準プレート８１上に置かれた元鍵９を内蔵のカメラ８０で撮影して元鍵９の表裏両面の画像情報を取得するもので、その画像情報はパソコン３０の画像入力部より取り込まれて画像記憶部に記憶される。前記基準プレート８１は、機体に対して出し入れ可能な構成であり、機体より引き出された状態で元鍵９を所定の位置に載せ、機体内に押し込んだとき、元鍵９は内蔵のカメラ８０の視野内に位置する。なお、基準プレート８１の上面には、次に説明する基準シート７０と同様の目盛表示欄が表示されており。ここでは詳細な説明を省略する。
【００２８】
図４は、鍵の複製受注用撮影機材７の一例である基準シート７０を示している。図示例の基準シート７０は、紙面に印刷が施されたものであり、所定の枚数（例えば５０枚）を綴ったものを１セットとして各鍵複製業者が所持している。この基準シート７０の綴りは探索サービス業者が製作し、これを複数の鍵複製業者に配布する。
【００２９】
図示例の基準シート７０は、元鍵９を紙面上に置いてその上方からカメラにより撮像するための機材であり、縦長の矩形状をなし、ほぼ全面にわたって縦横等間隔の目盛が印刷され、目盛表示欄７１を構成している。目盛表示欄７１の目盛は１ｍｍ方眼になっており、１ｍｍ単位で細線が、１０ｍｍ単位で太線が、それぞれ升目状に表されている。
目盛表示欄７１には、点線で囲まれた視野設定領域７２が表されている。この視野設定領域７２は、基準シート７０の上面に元鍵９を置いてその上方からデジタルカメラ６などで撮像するときの撮影範囲である。
【００３０】
目盛表示欄７１の視野設定領域７２の内側位置には、元鍵９を位置決めして置くための位置決め領域７３が鍵の図形によって表されている。この鍵の図形の先端部に当たる位置には、元鍵９の先端部を位置合わせするための基準線７４が太い線により水平に表されている。位置決め領域７３の一側方には、元鍵９の鍵足の長さがわかるように数字が目盛に合わせて１０ｍｍ毎に表されている。
【００３１】
目盛表示欄７１の視野設定領域７２の内側位置には、２個の記入欄７５，７６が上下に表されている。第１の記入欄７５には、元鍵９のメーカー名、鍵番号、用途、板厚を記入するようになっている。元鍵９の板厚はノギスなどの計測器具を用いて測定するのが望ましく、その測定結果を第１の記入欄７５に記入する。第２の記入欄７６には、鍵の複製を受注した店舗名と連絡先（電話番号など）とを記入する。
なお、図中、７７は探索サービス業者の送信先が表されたＱＲコード（登録商標）であり、このＱＲコード（登録商標）をスキャンすることにより元鍵９を撮影して取得した画像情報を探索サービス業者のコンピュータシステム４へ送ることができる。
【００３２】
同図において、７８，７９は元鍵９の撮影に際しての注意書きであり、一方の注意書き７８は、カメラの視野を視野設定領域７２に合わせること、および元鍵９の表裏両面を撮影することを示唆している。また、他方の注意書き７９は、元鍵９の鍵足の先端を基準線７４に合わせることを示唆している。
【００３３】
図５は、基準シート７０の他の実施例を示している。この実施例では、目盛表示欄７１の視野設定領域７２の内側位置に、元鍵９を位置決めして置くための第１、第２の位置決め領域７３ａ，７３ｂがそれぞれ鍵の図形によって表されている。一方の鍵の図形の先端部に当たる位置には、元鍵９の先端部を位置合わせするための第１の基準線７４ａが太い線により水平に表されている。他方の鍵の図形のストッパー部に当たる位置には、元鍵９のストッパー部を位置合わせするための第２の基準線７４ｂが太い線により水平に表されている。各位置決め領域７３ａ，７３ｂの一側方には、元鍵９の鍵足の長さがわかるように数字が目盛に合わせて１０ｍｍ毎に表されている。なお、７９ａ，７９ｂは元鍵９をいずれか一方の基準線７４ａ，７４ｂにそれぞれ位置合わせして置くことを示唆する注意書きである。
【００３４】
図１および図２に戻って、検索サービス業者のコンピュータシステム４は、パソコン４０、ディスプレイ４１、キーボード４２、マウス４３などで構成されている。パソコン１０は、制御部４５を制御、演算の主体とし、送受信部４６、データベース記憶部４７などを含んでいる。なお、図２において、入力装置４４はキーボード４２、マウス４３などである。
【００３５】
前記データベース記憶部４７には、ブランクキー検索システムを構成するデータベースＤＢが記憶されている。ブランクキー検索システムは、図９に示すように、元鍵９の画像情報から得られる少なくとも１個の検索項目（図示例では、元鍵９のメーカー名、頭部の形状、用途、鍵足部分の長さ、位置決め用の溝の本数など）についての検索情報に基づいてデータベースＤＢに登録されている既成の多種類のブランクキーの中から検索条件に合ったブランクキーの候補９Ａ〜９Ｅを検索して抽出するためのものである。データベース記憶部４７には、複数のブランクキーについてそれぞれのブランクキーを検索するための複数の検索項目にわたる検索情報とそれぞれのブランクキーとを対応付けるとともに、各ブランクキーについて名称および形態に関わる詳細情報を蓄積するためのデータベースＤＢが記憶されている。
【００３６】
図６および図７は、鍵の複製を受注するときの第１の通信端末装置１およびコンピュータシステム４の制御の流れをそれぞれ示している。同図中、「ＳＴ」は「ＳＴＥＰ」の略であり、制御の流れにおける各手順を示している。
鍵複製業者が鍵の複製を受注するとき、依頼者から預かった元鍵９の複製に適するブランクキーの選定が容易でなければ、鍵複製業者は、基準シート７０の２個の記入欄７５，７６に所定の情報を筆記具で記入した後、基準線７４に元鍵９の先端を合わせて元鍵９を位置決め領域７３に置き、その上方よりカメラ７により元鍵９を撮影する（図６のＳＴ１，２）。撮影は元鍵９の表裏両面について行われ、これにより元鍵９の表裏両面の画像情報が取得される。この画像情報には２個の記入欄７５，７６に文字で書き込まれた情報が含まれている。この画像情報はパソコン１０に取り込まれ、画像記憶部１７に記憶される（図６のＳＴ３）。
【００３７】
次に、画像情報をパソコン１０の送受信部１８より通信ネットワーク５を介して探索サービス業者のコンピュータシステム４へ送信することによりブランクキーの探索を依頼する（図６のＳＴ４）。
【００３８】
探索サービス業者のコンピュータシステム４においては、前記画像情報をパソコン４０の送受信部４６で受信すると、図７のＳＴ１が「ＹＥＳ」となり、その受信情報が制御部４５に取り込まれる（図７のＳＴ２）。
前記画像情報は、縦横の目盛が表された基準シート７０上に元鍵９を置いて撮影することにより取得されているので、探索サービス業者は元鍵９の表裏両面の画像情報によって元鍵９の外観、鍵足の長さや幅、位置決め用の溝の本数や位置などを把握することができる。この実施例では、ブランクキー検索システムによって元鍵９の複製に適するブランクキーを機械的に検索しているが（図７のＳＴ３）、探索が可能であれば、手作業による探索であってもよい。
【００３９】
元鍵９の複製に適するブランクキーの探索結果は探索サービス業者のコンピュータシステム４のパソコン４０の送受信部４６から通信ネットワーク５を介して鍵複製業者の通信端末装置１へ送られる（図７のＳＴ４）。鍵複製業者の通信端末装置１において、元鍵９の複製に適するブランクキーの探索結果をパソコン１０の送受信部１８で受信すると、図６のＳＴ５が「ＹＥＳ」となり、制御部１５は探索結果を取り込んでメモリに記憶した後、探索されたブランクキーの候補から複製に供するブランクキーを選定する（ＳＴ６，７）。この一連の手順によって鍵の複製の受注が完了する。
【００４０】
図８は、ブランクキー検索システムによるブランクキーの検索手順を示している。
同図のＳＴ１では、ディスプレイ４１に検索のための画面が表示される。この検索画面に対して、少なくとも１個、望ましくは複数の検索項目について検索情報が入力されて検索条件が設定され、検索開始のためのキー操作がなされると、ＳＴ２，３がともに「ＹＥＳ」となり、パソコン４０の制御部４５によって検索が実行される（ＳＴ４）。
【００４１】
検索が実行された結果、ディスプレイ４１の検索応答画面に検索結果が表示され（ＳＴ５）、その検索応答画面に表示されたブランクキーの候補から複製に供するブランクキーが選択される（ＳＴ６）。
【符号の説明】
【００４２】
１，２，３  通信端末装置
４    コンピュータシステム
５    通信ネットワーク
６    デジタルカメラ
７    鍵の複製受注用撮影機材
９    元鍵
１０，３０，４０  パソコン
１８，４６  送受信部
２０  携帯端末
７０  基準シート
７３，７３ａ，７３ｂ  位置決め領域
７４，７４ａ，７４ｂ  基準線
７５，７６  記入欄
【図１】
2016031555.tif 000003
【図２】
2016031555.tif 000004
【図３】
2016031555.tif 000005
【図４】
2016031555.tif 000006
【図５】
2016031555.tif 000007
【図６】
2016031555.tif 000008
【図７】
2016031555.tif 000009
【図８】
2016031555.tif 000010
【図９】
2016031555.tif 000011
【図１０】
2016031555.tif 000012